(57)【特許請求の範囲】
【請求項１】
導電性を有する導電部材と、前記導電部材を樹脂で覆う樹脂モールド部と、前記樹脂モールド部から突出した前記導電部材よりなるバスバ端子部と、を有する樹脂モールドバスバであって、前記バスバ端子部は、前記樹脂モールド部から外側に延びる腕木部と、前記腕木部の先端において電気機器の端子と接触する接触面を有する接続部とを有し、前記接触面に垂直な方向に荷重が加わったときに前記腕木部の長手方向に作用する曲げモーメントに対する前記接続部の剛性が前記腕木部の剛性よりも大きいことを特徴とする樹脂モールドバスバ。
【請求項２】
請求項１に記載の樹脂モールドバスバであって、前記接触面に垂直な方向および前記腕木部の長手方向に対して直交する方向を前記バスバ端子の幅方向と定義したときの前記接続部の幅方向寸法が前記腕木部の幅方向寸法よりも大きいことを特徴とする樹脂モールドバスバ。
【請求項３】
請求項１または２に記載の樹脂モールドバスバにより内蔵する電気機器を電気的に接続する電力変換装置であって、前記接続部は、前記腕木部よりも上方に突出するとともに、前記樹脂モールドバスバが接続された電気機器の本体部の上面よりも上方に突出していることを特徴とする電力変換装置。
【請求項４】
請求項３記載の電力変換装置であって、前記バスバ端子部を複数有し、複数の前記接触面に加わる荷重の向きが同一であることを特徴とする電力変換装置。
【請求項５】
請求項４記載の電力変換装置であって、一のバスバ端子部と隣接する他のバスバ端子部とは前記樹脂モールド部の互いに平行でない異なる外表面から突出し、前記一のバスバ端子部の腕木部が曲折することにより前記一のバスバ端子部の前記接触面と前記他のバスバ端子部の前記接触面が平行に設けられていることを特徴とする電力変換装置。
【発明の詳細な説明】
【技術分野】
【０００１】
本発明は、導電性を有する板状の導電部材と導電部材の外周を樹脂で覆う樹脂モールド部とを有する樹脂モールドバスバに関するものであり、具体的には、電気機器の端子との接続を容易かつ確実に行うことのできる樹脂モールドバスバおよびそれを用いた電力変換装置を提供するものである。
【背景技術】
【０００２】
ハイブリッド自動車や電気自動車において、バッテリーからの直流電力を交流電力に変換する電力変換装置が広く用いられている。この電力変換装置に内蔵されるスイッチング素子、コンデンサ、リアクトル等の電気機器の端子間の接続にバスバが用いられる。
【０００３】
そして、電気機器の端子接続に用いられるバスバとして、バスバの端子を弾性変形させることによって、位置ずれを吸収して電気的な接続を行う技術が下記特許文献１に開示されている。
【特許文献１】特開平１１−２１９７３９号公報
【発明の開示】
【発明が解決しようとする課題】
【０００４】
特許文献１の発明では、バスバ端子の全体を弾性変形させる構造であり、バスバの端子と電気機器の端子とが接触する部分までも弾性変形させているため、バスバ端子と電気機器の端子との接合部分に変形による応力が残存することになる。そして、接合部に応力が残存している状態でバスバに繰り返し振動などが加わると、接合部にクラック等が発生し、接合信頼性が確保できないという問題がある。
【０００５】
本発明の目的は、上述の事情に鑑み、弾性変形によりバスバの接続部の位置ずれを吸収しつつも、樹脂モールドバスバと電気機器との接続信頼性を向上するバスバおよびそれを用いた電力変換装置を提供することである。
【課題を解決するための手段】
【０００６】
本発明は上記目的を達成するために、請求項１に記載の発明では、導電性を有する導電部材と、導電部材を樹脂で覆う樹脂モールド部と、樹脂モールド部から突出した導電部材よりなるバスバ端子部と、を有する樹脂モールドバスバであって、バスバ端子部は、樹脂モールド部から外側に延びる腕木部と、腕木部の先端において電気機器の端子と接触する接触面を有する接続部とを有し、接触面に垂直な方向に荷重が加わったときに腕木部の長手方向に作用する曲げモーメントに対する接続部の剛性が腕木部の剛性よりも大きいことを特徴としている。
【０００７】
また、請求項２に記載の発明では、接触面に垂直な方向および腕木部の長手方向に対して直交する方向を前記バスバ端子の幅方向と定義したときの接続部の幅方向寸法が腕木部の幅方向寸法よりも大きいことを特徴としている。
【０００８】
また、請求項３に記載の発明では、接続部は、腕木部よりも上方に突出するとともに、樹脂モールドバスバが接続された電気機器の本体部の上面よりも上方に突出していることを特徴としている。
【０００９】
また、請求項４に記載の発明では、前記バスバ端子部を複数有し、複数の前記接触面に加わる荷重の向きが同一であることを特徴としている。
【００１０】
また、請求項５に記載の発明では、一のバスバ端子部と隣接する他のバスバ端子部とは樹脂モールド部の互いに平行でない異なる外表面から突出し、一のバスバ端子部の腕木部が曲折することにより一のバスバ端子部の接触面と他のバスバ端子部の接触面が平行に設けられていることを特徴としている。
【発明の効果】
【００１１】
請求項１の記載に係る発明は、接触面に垂直な方向に荷重が加わったときに、腕木部の長手方向に作用する曲げモーメントに対する接続部の剛性が腕木部の剛性よりも大きいことから、剛性の小さい腕木部を屈曲させて接続部の位置ずれを吸収するとともに、接続部の変形を低減できることから接合信頼性を向上させることができる。
【００１２】
請求項２の記載に係る発明は、接続部の幅方向寸法を腕木部の幅方向寸法よりも大きくして接続部の剛性を大きくしており、簡易な構成で接続部の剛性を大きくすることができる。
【００１３】
請求項３の記載に係る発明は、接続部を周囲の電気機器の本体部の上面よりも上方に突出させるため、バスバ端子部と電気機器の端子とを接合する場合に、両者の端子を密着させるための押さえ冶具を挿入するスペースを確保することができる。これにより、接合の作業性が向上し、より接合信頼性を高めることができる。
【００１４】
請求項４の記載に係る発明は、複数のバスバ端子と複数の電気機器の端子とを接合する場合に、複数の接触面を互いに平行にするとともに、荷重の向きを同一にすることで、複数のバスバ端子の接合作業を迅速かつ容易に行うことができる。
【００１５】
請求項５の記載に係る発明は、隣接するバスバ端子部間の沿面距離長くすることができる。
【発明を実施するための最良の形態】
【００１６】
（樹脂モールドバスバの全体構成）
図１〜４に本発明の一実施形態に係る樹脂モールドバスバ１の概略構成図を示す。樹脂モールドバスバ１は、導電部材２と導電部材２を樹脂でモールドした樹脂モールド部３で構成される。
【００１７】
導電部材２は、銅、銅合金、アルミニウム又はその他適当な導電性金属材からなる。導電部材２は線材から形成しても良いし、一体的な金属部材を抜き打ち加工して作成しても良い。また、複数の別体の部材を溶接その他の接続作業により組み合わせて作成することも可能である。
【００１８】
導電部材２は全部で４体あり、そのうち３体の導電部材２は、両端部を除き、残り１体の導電部材２は、一端部を除き、樹脂で一体化されている。樹脂で被覆された部分が樹脂モールド部３となる。樹脂モールド部３は、上記３体の導電部材２を互いに絶縁している。上記残り１体の導電部材２は上記３体の導電部材のうち１体とのみ導電し、他２体の導電部材２とは絶縁の関係にある。
【００１９】
４体の導電部材２の端部は、樹脂で被覆されず、金属が露出している。４体の導電部材２のうち、３体の一端部は、樹脂モールド部３の上方部側面から薄い板状となって延伸しており、バスバ端子部４を形成している。
【００２０】
残りの１体である導電部材２の一端部は、薄い板状となって延伸し、その先に導電性ボルト穴８ａを形成し、他端部は樹脂モールド部３内で接続部６ａを形成する導電部材２と電気的に接続されている。
【００２１】
樹脂モールド部３の部位のうち、鉛直下方方向に延伸びる部分は、コネクタ部１１であり、電子機器電気機器の端子との接続に用いられる。コネクタ部１１からはバスバ端子部４を形成している３体の導電部材２の他端部がそれぞれコネクタピン１２として露出している。
【００２２】
バスバ端子部４は、一枚の金属板をＬ字形に打ち抜いて形成したもので、樹脂モールド部の側面から水平方向外側に延びる腕木部５と、腕木部５の先端から鉛直方向上方に延びる接続部６とを有している。接続部６は、電気機器の端子と接触する接触面７を有する。ここで、接触面７に垂直な方向および腕木部５の長手方向に対して直交する方向をバスバ端子部４の幅方向と定義したときの接続部６の幅方向寸法が腕木部５の幅方向寸法よりも大きい。
接続部６ａは別体の補助金属板１３を取り付けられており、腕木部５ａよりも厚みが大きくなっている。接続部６の幅方向寸法を腕木部５の幅方向寸法よりも大きくしたことで、接触面７に垂直な方向に荷重が加わったときに、腕木部５の長手方向に作用する曲げモーメントに対する接続部６の剛性を腕木部５の剛性よりも大きくでき、剛性の小さい腕木部５を屈曲させて接続部６の位置ずれを吸収するとともに、接合信頼性に影響を及ぼす接続部６の変形を低減できる。
【００２３】
接続部６の剛性を腕木部５の剛性よりも大きくする手段としては、上記手段の他に、接続部６ａのように接続部６を腕木部５よりも厚くすることや、接続部６の材質を腕木部５の材質よりもヤング率が大きいものにすることが挙げられる。
なお、バスバ端子部４の形状はＬ字に限定されるものではなく、Ｔ字形など接続部６の幅方向寸法が腕木部５の幅方向寸法よりも大きいものであれば足りる。
【００２４】
（複数のバスバ端子部の構造）
腕木部５ａ〜５ｃはそれぞれ樹脂モールド部３の互いに平行でない異なる面から延伸しつつも、接触面７は互いに平行となっている。
【００２５】
腕木部５ａ〜５ｃは沿面距離を確保するために樹脂モールド部３の外表面のうち、それぞれ異なる面から突出している。
【００２６】
樹脂モールド部３の腕木部５ｂが突出する箇所は、凸状に外側に突出する形状を有し、腕木部５ｂと他の腕木部５ａ、５ｃとの沿面距離を長くしている。
【００２７】
図５に示す参考図を用いて、実施形態例と比較例を対比して説明する。図５（ａ）は実施形態例のバスバ端子部４、図５（ｂ）は比較例のバスバ端子部４を示す。
【００２８】
図５（ａ）では、腕木部５ｃは、曲折部１４を有する。腕木部５ｃを腕木部５ｂが突出する面と垂直な関係にある面から突出させ、腕木部５ｃは樹脂モールド部３の外表面近傍で曲折し、接触面７ｃが接触面７ａ及び７ｂと互いに平行な関係になるようにしている。
【００２９】
つまり、曲折部１４と腕木部５ｃの突出点１５との距離ｈを突出点１５と突出面と前記突出する面の間に位置する挟辺１６との距離ｙよりも短くしており、同一方向に腕木部５を突出させた図５（ｂ）の場合よりも、樹脂モールド部は小型化され、かつ、樹脂モールド部の同一面から突出させた場合よりも沿面距離が長くなる。
【００３０】
（ボルト部の構造）
樹脂モールド部３の上部両端に電力変換装置に固定するために用いる非導電性ボルト穴８ｂを形成し、樹脂モールド部３の裏側の両端に位置合わせのために使用される凸部１７を設ける。
【００３１】
樹脂モールドバスバ１の凸部１７を電力変換装置に設けた凹部にはめ込むことで、確実な位置合わせが可能となる。
【００３２】
（コネクタ部）
コネクタ部１１の内側面に突部１８が形成され、コネクタ部下方に嵌合穴１９が形成される。
【００３３】
コネクタ部１１に突部１８を形成することで、誤って斜めにコネクタピン１２を電力変換装置に嵌め込み、コネクタピン１２の破損や折れ曲がりを生じるといった不具合を防ぐことができる。
【００３４】
内側面に形成される突部１８はこの形状に限られず、凹凸部や凹部等その他係合できる形状で足りる。
【００３５】
コネクタピン１２は電力変換装置内部にある直流電圧検出基板の高電圧検出部に接続される。
【００３６】
（バスバを電力変換装置に取り付けた状態の形状）
図６に電力変換装置に取り付けられた本発明の樹脂モールドバスバ１の上面図、図７にバスバ端子と電力変換装置に内蔵された電気機器の機器端子部２１との接続箇所の斜視図を示す。樹脂モールドバスバ１は、樹脂モールドバスバ１の下端にあるコネクタ部１１を電力変換装置内のコネクタ端子（図示せず）にはめ込まれ、樹脂モールドバスバ１の接続部６ａ、６ｂ、６ｃはそれぞれ電気機器上面にある機器端子部２１に溶接接合される。接続部６と機器端子部２１との接続はアーク溶接やハンダ溶接といった接続作業によって行われる。
【００３７】
接続部６ａ〜６ｃの先端は、すべて同じ高さに統一され、樹脂モールドバスバ１が接続される電気機器の本体部上面より上方に位置する。ここで、電気機器の本体部とは、電力変換装置内のリアクトル、コンデンサおよびスイッチング素子などの電気機器のうち外表面に突出する端子を除いた部分をいう。
【００３８】
接続部６の先端を電気機器の本体部の上方に配置した結果、バスバ端子部４と電気機器の端子とを溶接接合する場合に、両者の端子を密着させるための押さえ冶具を挿入するスペースを確保できる。これにより、溶接接合の作業性が向上し、より接合信頼性が向上する。
【００３９】
樹脂モールドバスバ１は、高電圧検出部の制御信号を電気機器の上面に設置された制御基板に接続するために用いられる。
【００４０】
樹脂モールドバスバ１を取り付ける電気機器は限定されるものではなく、種々の電気機器にも取り付けることができる。
【００４１】
上述の樹脂モールドバスバ１によれば、接続部６は腕木部５よりも幅方向に長いことから、腕木部の長手方向に作用する曲げモーメントに対する接続部の剛性は大きくなる。よって、樹脂モールドバスバ１の接触面７に垂直な方向に荷重が加わったときに、腕木部５が屈曲し、接続部７の位置ずれを吸収できるとともに、接合信頼性に影響を及ぼす接続部７の変形を軽減できる。
【００４２】
接続部６は周囲の電気機器の本体部の上面よりも上方に延伸しているため、押さえ冶具を挿入するスペースを確保できる。この結果、接合作業性が向上し、接合信頼性が高くなる。
【００４３】
複数のバスバ端子部４と複数の電気機器の端子とを溶接接合する場合に、樹脂モールドバスバ１の複数の接触面７ａ、７ｂ、７ｃが平行であるため、複数の溶接接合作業を迅速かつ容易に行うことができる。
【００４４】
なお、機器端子部２１の構造をバスバ端子部４と同様の構造にすることで、機器端子部２１とバスバ端子部４の両側において、寸法公差を吸収でき、その効果は倍増される。
【図面の簡単な説明】
【００４５】
【図１】本発明の実施の形態に係る樹脂モールドバスバの斜視図である。
【図２】本発明の実施の形態に係る樹脂モールドバスバの下面図である。
【図３】本発明の実施の形態に係る樹脂モールドバスバの背面図である。
【図４】本発明の実施の形態に係る樹脂モールドバスバの右側面図である。
【図５】本発明と従来の２の腕木部の対比図である。
【図６】樹脂モールドバスバを電力変換装置に取り付けた際の上面図である。
【図７】バスバ端子と電気機器端子部との接続箇所の斜視図である。
【符号の説明】
【００４６】
１  樹脂モールドバスバ
２  導電部材
３  樹脂モールド部
４  バスバ端子部
５  腕木部
６  接続部
７  接触面
８ａ  導電性ボルト穴
８ｂ  非導電性ボルト穴
１１  コネクタ部
１２  コネクタピン
１３  補助金属板
１４  曲折部
１５  突出点
１６  挟辺
１７  凸部
１８  突部
１９  嵌合穴
２１  機器端子部
【図１】
0004867912.tif 000002
【図２】
0004867912.tif 000003
【図３】
0004867912.tif 000004
【図４】
0004867912.tif 000005
【図５】
0004867912.tif 000006
【図６】
0004867912.tif 000007
【図７】
0004867912.tif 000008